(57)【要約】【課題】例えばＦＭ波等を利用した無線通信技術を含む多チャンネルの音声信号をより適切に再生可能とならしめる。【解決手段】音声再生装置（１００）は、（ｉ）一のチャンネルに対応した第１音声信号を生成する第１音声生成手段（信号処理部）と、（ｉｉ）他のチャンネルに対応した第２音声信号を生成する第２音声生成手段（信号処理部）と、（ｉｉｉ）第１音声信号（ＳＣ等）を出力可能な第１スピーカ（２００Ｃ等）と、（ｉｖ）第２音声信号を所定の周波数の搬送波により送信する送信手段（１０６等）と、（ｖ）送信された搬送波を受信し、第２音声信号（ＳＲａ）を復調する受信手段（１００Ｒ等）と、（ｉｖ）送信手段によって送信された第２音声信号が、受信されて出力される出力音声を取得する取得手段（１１１等）とを少なくとも備える。【選択図】図１
2007129337.tif 000002
【特許請求の範囲】
【請求項１】
一のチャンネルに対応した第１音声信号を生成する第１音声生成手段と、
他のチャンネルに対応した第２音声信号を生成する第２音声生成手段と、
前記第１音声信号を出力する第1スピーカと、
前記第２音声信号を所定の周波数の搬送波により送信する送信手段と、
前記送信手段によって送信された第２音声信号が、受信されて出力される出力音声を取得する取得手段と、
を備えることを特徴とする音声再生装置。
【請求項２】
前記送信手段によって送信された第２音声信号を、受信して、前記出力音声として、出力する出力手段を更に備えることを特徴とする請求項１に記載の音声再生装置。
【請求項３】
前記取得手段により取得された出力音声の音圧レベルに基づいて、前記第２音声信号の最適出力レベルを決定する決定手段と、
前記最適出力レベルを表示する表示手段と、
を更に備えることを特徴とする請求項１又は２に記載の音声再生装置。
【請求項４】
前記取得手段により取得された出力音声の音圧レベルに基づいて、前記第２音声信号の音量を調整する調整手段を更に備えることを特徴とする請求項１から３のうちいずれか一項に記載の音声再生装置。
【請求項５】
前記調整手段は、前記取得手段によって取得された出力音声の音量に基づいて前記第２音声信号を変化させることを特徴とする請求項４に記載の音声再生装置。
【請求項６】
前記送信手段によって送信された前記第２音声信号を受信して出力する受信出力装置を更に備え、
前記取得手段は、前記受信出力装置の音声出力端子と、ケーブルを介して接続されることを特徴とする請求項１から５のうちのいずれか一項に記載の音声再生装置。
【請求項７】
前記送信手段によって送信された前記第２音声信号を受信して出力する受信出力装置を更に備え、
前記取得手段は、前記受信出力装置から出力される出力音声を取得するマイクロフォンであることを特徴とする請求項１から６のうちいずれか一項に記載の音声再生装置。
【請求項８】
予め所定の周波数が記憶されたプリセット部と、
前記プリセット部に記憶された周波数を、前記第２音声信号を送信する周波数として設定する周波数設定部を更に備えることを特徴とする請求項１から７のうちいずれか一項に記載の音声再生装置。
【請求項９】
前記送信手段は、複数のチャンネルで前記第２音声信号を夫々送信可能であることを特徴とする請求項１から８のうちのいずれか一項に記載の音声再生装置。
【請求項１０】
前記送信手段は、前記第２音声信号を前記複数のチャンネルの各々に対応させて処理した当該第２音声信号を送信可能であることを特徴とする請求項１から９のうちいずれか一項に記載の音声再生装置。
【請求項１１】
前記第１音声信号、又は前記第２音声信号として、テスト用信号を供給する供給手段を更に備えることを特徴とする請求項１から１０のうちのいずれか一項に記載の音声再生装置。
【請求項１２】
一のチャンネルに対応した第１音声信号を生成する第１音声生成手段と、
他のチャンネルに対応した第２音声信号を生成する第２音声生成手段と、
前記第１音声信号を出力する第1スピーカと、
前記第２音声信号を出力する音声信号インタフェースと、
前記音声信号インタフェースによって出力された第２音声信号に基づいて生成される出力音声を取得する取得手段と、を備える音声再生装置と、
前記音声再生装置と接続されており、前記音声信号インタフェースから出力される前記第２音声信号を、所定の周波数の搬送波により送信する送信装置と、
を備えることを特徴とする音声再生システム。
【請求項１３】
前記送信装置によって送信された前記第２音声信号を受信し、当該第２音声信号に基づいて前記出力音声を生成して、当該出力音声を出力する受信出力装置を更に備えることを特徴とする請求項１２に記載の音声再生システム。
【発明の詳細な説明】
【技術分野】
【０００１】
本発明は、例えば音声信号を信号処理する音声再生装置、並びに、当該音声再生装置を備える音声再生システムの技術分野に関する。
【背景技術】
【０００２】
近年、映画等の映像ソフトにおいては、迫力や臨場感のある音声再生を可能とするためにドルビーデジタルサラウンド（Dolby Digital Surround）、ＤＴＳ（Digital Theater Systems）のような多チャンネル（複数のチャンネル、多チャネル、多系統）の音声信号が記録されている。このような映像ソフトを再生する際には、一般的に、映像モニターで映像信号を再生すると共に、２から８チャンネル分のアンプや、例えば５．１ｃｈサラウンド音声方式等に対応可能なスピーカが利用されて、多チャンネルの音声信号が再生されている。
【０００３】
しかしながら、複数のスピーカによって、多チャンネルの音声信号が再生される際に、複数のスピーカと本体とを有線で接続する場合、従来のステレオ再生と異なり、スピーカの数が２個以上に増加される。このため、スピーカケーブルの配線作業が煩雑となり、スピーカ自身の移動も制限されてしまう。加えて、多数のスピーカケーブルが音響空間における各種装置のレイアウトを制限してしまう。更に、頭上（天井）にスピーカを設置する際にも、配線作業が困難となってしまう。そこで、近年、例えばＩＥＥＥ８０２．１１ｂ等の無線ＬＡＮの規格に準拠した無線通信技術を利用したスピーカによって、多チャンネルの音声信号の再生が行われている。
【発明の開示】
【発明が解決しようとする課題】
【０００４】
しかしながら、上述した多チャンネルの音声信号の再生のために、例えば無線ＬＡＮの規格に準拠した無線通信技術に基づいた音声再生装置の製造コストは、一般的に高くなってしまうという問題点を有している。そこで、多チャンネルの音声信号の再生を低コストで実現するために、ＦＭ波等を利用した無線通信技術に基づいた音声再生装置も提案されている。
【０００５】
更に、しかしながら、例えばこのＦＭ波等を利用した無線通信技術を含む多チャンネルの音声信号の再生においては、（ｉ）例えばセンタースピーカ等の有線で接続されたスピーカの音量特性（ボリュームカーブ）と、（ｉｉ）ＦＭ波を受信可能なスピーカの音量特性とを一致させることが技術的に困難である。このため、例えばＦＭ波等を利用した無線通信技術を含む多チャンネルの音声信号の再生において、音圧レベルの調整、所謂、ボリュームコントロール（音量調整）を、的確且つ高精度に実現することが困難であるという技術的な問題点を有している。
【０００６】
本発明は、例えば上述した問題点に鑑みなされたものであり、例えばＦＭ波等を利用した無線通信技術を含む多チャンネルの音声信号の再生を、より適切に実現可能な音声再生装置及び方法、並びに、コンピュータをこのような音声再生装置として機能させるコンピュータプログラムを提供することを課題とする。
【課題を解決するための手段】
【０００７】
上記課題を解決するために、請求項１に記載の音声再生装置は、一のチャンネルに対応した第１音声信号を生成する第１音声生成手段（信号処理部）と、他のチャンネルに対応した第２音声信号を生成する第２音声生成手段（信号処理部）と、前記第１音声信号を出力する第1スピーカ（有線スピーカ）と、前記第２音声信号を所定の周波数の搬送波により送信する送信手段（ＦＭトランスミッタ）と、前記送信手段によって送信された第２音声信号が、受信されて出力される出力音声を取得する取得手段（マイクロフォン、又はイヤホンジャックを介して測定する測定器）と、を備える。
【０００８】
上記課題を解決するために、請求項１２に記載の音声再生システムは、一のチャンネルに対応した第１音声信号を生成する第１音声生成手段（信号処理部）と、他のチャンネルに対応した第２音声信号を生成する第２音声生成手段（信号処理部）と、前記第１音声信号を出力する第1スピーカ（有線スピーカ）と、前記第２音声信号を出力する音声信号インタフェースと、前記音声信号インタフェースによって出力された第２音声信号に基づいて生成される出力音声を取得する取得手段と、を備える音声再生装置と、前記音声再生装置と接続されており、前記音声信号インタフェースから出力される前記第２音声信号を、所定の周波数の搬送波により送信する送信装置と、を備える。
【０００９】
本発明の作用及び他の利得は次に説明する実施の形態から明らかにされよう。
【発明を実施するための最良の形態】
【００１０】
以下、発明を実施するための最良の形態としての本発明の実施形態に係る音声再生装置及び方法、並びにコンピュータプログラムについて順に説明する。
【００１１】
（音声再生装置の実施形態）
以下、本発明の実施形態に係る音声再生装置について説明する。
【００１２】
本発明の音声再生装置に係る実施形態は、一のチャンネルに対応した第１音声信号を生成する第１音声生成手段（信号処理部）と、他のチャンネルに対応した第２音声信号を生成する第２音声生成手段（信号処理部）と、前記第１音声信号を出力する第1スピーカ（有線スピーカ）と、前記第２音声信号を所定の周波数の搬送波により送信する送信手段（ＦＭトランスミッタ）と、前記送信手段によって送信された第２音声信号が、受信されて出力される出力音声を取得する取得手段（マイクロフォン、又はイヤホンジャックを介して測定する測定器）と、を備える。
【００１３】
本発明の音声再生装置に係る実施形態によれば、例えば有線通信可能なスピーカ等の第１スピーカによって、一のチャンネルに対応した第１音声信号が出力される。と同時に、又は相前後して、例えばFMトランスミッタ等の送信手段によって、他のチャンネルに対応した第２音声信号が変調されつつ、当該第２音声信号を保持する搬送波が送信される。そして、例えばFMチューナ等の受信手段によって、搬送波が受信され、第２音声信号が復調される。そして、例えば無線スピーカ等の他のスピーカによって、復調された第２音声信号が、出力音声として出力されるようにしてもよい。
【００１４】
次に、例えば、マイクロフォン、又はイヤホンジャックを介して測定する測定器等の取得手段によって、出力された出力音声が取得される。この取得された出力音声に基づいて、例えば、自動的に又は聴取者による手動調整によって、例えば音量調整器等の調整手段を介して、他のスピーカから出力された第２音声信号の音圧レベルが調整されるようにしてもよい。
【００１５】
以上のように、本実施形態によれば、例えばＦＭ波等を利用した無線通信技術を含む多チャンネルの音声信号の再生において、（ｉ）例えばセンタースピーカ等の有線で接続されたスピーカの音量特性（ボリュームカーブ）と、例えば（ｉｉ）ＦＭ波を受信可能なスピーカの音量特性とを、例えば自動調整によって、又は聴取者の調整によって、殆ど又は完全に一致させることが可能となる。
【００１６】
この結果、例えばＦＭ波等を利用した無線通信技術を含む多チャンネルの音声信号の再生において、音圧レベルの調整、所謂、ボリュームコントロール（音量調整）を、簡便且つ高精度に実現することが可能となる。
【００１７】
本発明の音声再生装置に係る実施形態の他の態様では、前記送信手段によって送信された第２音声信号を、受信して、前記出力音声として、出力する出力手段（例えば無線スピーカ）を更に備える。
【００１８】
この態様によれば、前述したように、送信手段によって、他のチャンネルに対応した第２音声信号を保持する搬送波が送信される。次に、例えば無線スピーカ等の出力手段によって、搬送波が受信され、第２音声信号が復調されるようにしてもよい。次に、この出力手段によって、第２音声信号が、出力音声として出力されるようにしてもよい。
【００１９】
この結果、例えばＦＭ波等を利用した無線通信技術を含む多チャンネルの音声信号の再生において、（ｉ）例えばセンタースピーカ等の有線で接続されたスピーカの音量特性（ボリュームカーブ）と、（ｉｉ）ＦＭ波を受信可能な無線スピーカ等の出力手段の音量特性とを、例えば聴取者の調整によって、殆ど又は完全に一致させることが可能となる。
【００２０】
本発明の音声再生装置に係る実施形態の他の態様では、前記取得手段により取得された出力音声の音圧レベルに基づいて、前記第２音声信号の最適出力レベル（最適音量）を決定する決定手段と、前記最適出力レベルを表示する表示手段と、を更に備える。
【００２１】
この態様によれば、決定手段によって、例えば無線スピーカ等のスピーカにおける最適出力レベル、即ち最適音量が決定される。そして、表示手段によって、当該決定された最適出力レベルが聴取者に表示される。最適出力レベルとしては、具体的には、例えば無線スピーカ等の他のスピーカにおける増幅器の音量特性を表示させるようにしてもよい。或いは、第１スピーカにおけるメインボリュームのつまみ量（つまみの移動量）と、例えば無線スピーカ等の出力手段におけるメインボリュームのつまみ量との対応関係について表示させるようにしてもよい。
【００２２】
この結果、例えばＦＭ波等を利用した無線通信技術を含む多チャンネルの音声信号の再生において、音圧レベルの調整、所謂、ボリュームコントロール（音量調整）を、より聴取者の利便性を向上させつつ、より高精度に実現することが可能となる。
【００２３】
本発明の音声再生装置に係る実施形態の他の態様では、前記取得手段により取得された出力音声の音圧レベルに基づいて、前記第２音声信号の音量を調整する調整手段（音量調整器）を更に備える。
【００２４】
この態様によれば、取得された出力音声の音圧レベルに基づいて、例えば音量調整器等の調整手段による、例えば自動調整によって、出力された第２音声信号の音圧レベルが調整される。
【００２５】
この結果、当該音声再生装置の本体における統括的な制御下で、調整手段によって、第２音声信号を含む多チャンネルの音声信号の再生において、音圧レベルの調整、所謂、ボリュームコントロール（音量調整）を、より高精度に実現することが可能となる。
【００２６】
この調整手段に係る態様では、前記調整手段は、前記取得手段によって取得された出力音声の音量に基づいて前記第２音声信号を変化させるように構成してもよい。
【００２７】
このように構成すれば、当該音声再生装置の本体における統括的な制御下で、調整手段による自動調整によって、第２音声信号を含む多チャンネルの音声信号の再生において、音圧レベルの調整を、より高精度に実現することが可能となる。
【００２８】
本発明の音声再生装置に係る実施形態の他の態様では、前記送信手段によって送信された前記第２音声信号を受信して出力する受信出力装置（ＦＭラジオ）を更に備え、前記取得手段は、前記受信出力装置（ＦＭラジオ）の音声出力端子（イヤホン端子）と、ケーブルを介して接続される。
【００２９】
この態様によれば、例えばFMラジオと概ね同様の構成及び動作を行う無線スピーカ等の受信出力装置を更に備える。と共に、例えばイヤホン端子等の音声出力端子を介して測定する測定器等の取得手段は、ケーブルを介して接続される。
【００３０】
この結果、取得手段によって、ケーブルを介した、音響空間を介在しない、直接的に、音声出力が取得される。従って、例えばＦＭ波等を利用した無線通信技術を含む多チャンネルの音声信号の再生において、音圧レベルの調整を、例えば音響空間における残響等の影響を抑制しつつ、簡便且つ高精度に実現することが可能となる。
【００３１】
本発明の音声再生装置に係る実施形態の他の態様では、前記送信手段によって送信された前記第２音声信号を受信して出力する受信出力装置（ＦＭラジオ）を更に備え、前記取得手段は、前記受信出力装置（ＦＭラジオ）から出力される出力音声を取得するマイクロフォンである。
【００３２】
この態様によれば、例えばＦＭ波等を利用した無線通信技術を含む多チャンネルの音声信号の再生において、音圧レベルの調整を、例えば音響空間における残響等の影響も考慮して、簡便且つ高精度に実現することが可能となる。
【００３３】
本発明の音声再生装置に係る実施形態の他の態様では、予め所定の周波数が記憶されたプリセット部と、前記プリセット部に記憶された周波数を、前記第２音声信号を送信する周波数として設定する周波数設定部を更に備える。
【００３４】
この態様によれば、例えばＦＭ波等を利用した無線通信技術を含む多チャンネルの音声信号の再生において、音圧レベルの調整を、所定の周波数によって送信された第２音声信号に基づいて、簡便且つ高精度に実現することが可能となる。
【００３５】
本発明の音声再生装置に係る実施形態の他の態様では、前記送信手段（FMトランスミッタ）は、複数のチャンネル（3chから10ch分等）で前記第２音声信号を夫々送信可能である。
【００３６】
この態様によれば、例えば聴取者が所有するFMラジオと概ね同様の構成及び動作を行う複数の無線スピーカも使用して、例えば複数の周波数に対応されるＦＭ波等を利用した無線通信技術を含む多チャンネルの音声信号の再生において、音圧レベルの調整を、簡便且つ高精度に実現することが可能となる。
【００３７】
本発明の音声再生装置に係る実施形態の他の態様では、前記送信手段（ＦＭトランスミッタ）は、前記第２音声信号を前記複数のチャンネルの各々に対応させて処理した当該第２音声信号を送信可能である。
【００３８】
この態様によれば、任意の周波数に対応される任意のＦＭ波を、例えば聴取者によって、選択させることが可能となるので、無線通信における混信を、効果的に防止することが可能となる。
【００３９】
本発明の音声再生装置に係る実施形態の他の態様では、前記第１音声信号、又は前記第２音声信号として、テスト用信号を供給する供給手段を更に備える。
【００４０】
この態様によれば、例えばＦＭ波等を利用した無線通信技術を含む多チャンネルの音声信号の再生において、音圧レベルの調整、所謂、ボリュームコントロール（音量調整）を、供給されたテスト用信号に基づいて、より高精度に実現することが可能となる。
【００４１】
（音声再生システムに係る実施形態）
以下、本発明の実施形態に係る音声再生システムについて説明する。
【００４２】
本発明の音声再生システムに係る実施形態は、一のチャンネルに対応した第１音声信号を生成する第１音声生成手段（信号処理部）と、他のチャンネルに対応した第２音声信号を生成する第２音声生成手段（信号処理部）と、前記第１音声信号を出力する第1スピーカ（有線スピーカ）と、前記第２音声信号を出力する音声信号インタフェースと、前記音声信号インタフェースによって出力された第２音声信号に基づいて生成される出力音声を取得する取得手段と、を備える音声再生装置と、前記音声再生装置と接続されており、前記音声信号インタフェースから出力される前記第２音声信号を、所定の周波数の搬送波により送信する送信装置と、を備える。
【００４３】
本発明の音声再生システムに係る実施形態によれば、上述した本発明の音声再生装置に係る実施形態が有する各種利益を享受することが可能となる。
【００４４】
尚、上述した本発明の音声再生装置に係る実施形態が有する各種態様に対応して、本発明の音声再生システムに係る実施形態も各種態様を採ることが可能である。
【００４５】
本発明の音声再生システムに係る実施形態の一の態様では、前記送信装置によって送信された前記第２音声信号を受信し、当該第２音声信号に基づいて前記出力音声を生成して、当該出力音声を出力する受信出力装置（例えば無線スピーカ）を更に備える。
【００４６】
この態様によれば、前述した送信装置によって、他のチャンネルに対応した第２音声信号を保持する搬送波が送信される。次に、例えばFMラジオと概ね同様の構成及び動作を行う無線スピーカ等の出力手段によって、搬送波が受信され、第２音声信号が復調されるようにしてもよい。次に、この出力手段によって、第２音声信号が、出力音声として出力されるようにしてもよい。
【００４７】
この結果、例えばＦＭ波等を利用した無線通信技術を含む多チャンネルの音声信号の再生において、（ｉ）例えばセンタースピーカ等の有線で接続されたスピーカの音量特性（ボリュームカーブ）と、（ｉｉ）ＦＭ波を受信可能な無線スピーカ等の出力手段の音量特性とを、例えば聴取者の調整によって、殆ど又は完全に一致させることが可能となる。
【００４８】
本実施形態のこのような作用及び他の利得は次に説明する実施例から明らかにされる。
【００４９】
以上説明したように、本発明の音声再生装置に係る実施形態によれば、第１音声生成手段と、第２音声生成手段と、第１スピーカと、送信手段と、取得手段とを備える。この結果、例えばＦＭ波等を利用した無線通信技術を含む多チャンネルの音声信号の再生において、音圧レベルの調整、所謂、ボリュームコントロール（音量調整）を、簡便且つ高精度に実現することが可能となる。
【００５０】
また、本発明の音声再生システムに係る実施形態によれば、第１音声生成手段と、第２音声生成手段と、第１スピーカと、音声信号インタフェースと、取得手段と、送信装置とを備える。この結果、例えばＦＭ波等を利用した無線通信技術を含む多チャンネルの音声信号の再生において、音圧レベルの調整、所謂、ボリュームコントロール（音量調整）を、簡便且つ高精度に実現することが可能となる。
【実施例】
【００５１】
以下、本発明に係る実施例について図面に基づいて説明する。
【００５２】
（１）  音声再生装置の第１実施例
先ず、図１から図５を参照して、本発明の音声再生装置に係る第１実施例について説明する。
【００５３】
（１−１）  基本構成
先ず、図１から図３を参照して、本発明の音声再生装置１００の全体構成に加えて部分構成について説明する。ここに、図１は、本発明の音声再生装置の全体構成を示したレイアウト図である。図２は、本発明の音声再生装置の一の部分構成として、本体の基本構成を示したブロック図である。図３は、本発明の音声再生装置の他の部分構成として、ＦＭラジオを示したブロック図である。
【００５４】
図１に示されるように、本発明の音声再生装置１００は、全体構成として、例えばＡＶレシーバ（AV receiver）等の（ｉ）本体１００Ｍと、（ｉｉ）本体１００Ｍと無線通信することが可能なＦＭラジオ１００Ｒとを、例えば聴取者の周りに備えて構成されている。特に、（ｉ）本体１００Ｍには、（ｉ−１）例えばＤＶＤビデオコンテンツ等を再生（出力）可能なセンタースピーカ２００Ｃ、（ｉ−２）レフトスピーカ２００Ｌ、及び（ｉ−３）ライトスピーカ２００Ｒが、有線通信によって接続されている。尚、ＦＭラジオは、本発明の「受信出力装置」の一具体例を構成するようにしてもよい。
【００５５】
詳細には、図２に示されるように、本体１００Ｍは、上述した各種スピーカに加えて、（ｉ−４）各種手段、各種特性や各種パラメータを統括して制御する制御部１０１、（ｉ−５）音声信号ＳＣ（ＳＬ、ＳＲ）が入力される入力部１０２、（ｉ−６）音声信号を信号処理する、例えばイコライザ等の信号処理部１０３、（ｉ−７）信号処理された音声信号をＤ／Ａ変換（Digital to Analog Conversion）するＤ／Ａ変換器１０４、（ｉ−８）例えばアンプ（amplifier）等の、音声信号ＳＣ（ＳＬ、ＳＲ）を増幅する増幅器１０５、（ｉ−９）信号処理された音声信号ＳＲａを、ＦＭ波等の搬送波を介してＦＭラジオに送信する、例えばトランスミッター等の送信器１０６、（ｉ−１０）アンテナ１０６Ａ、（ｉ−１１）テスト用信号を生成するテスト用信号生成器１１０、（ｉ−１２）スイッチ１１０ｓ、及び（ｉ−１３）制御部１０１を遠隔制御するためのリモコンＲｅを備えて構成されている。
【００５６】
特に、送信器は、ステレオ再生が可能な搬送波を送信してもよいし、モノラル再生が可能な搬送波を送信するようにしてもよい。詳細には、ＦＭ波の放送規格では１種類の周波数の単位で、２つ副チャンネル信号と、１つの主チャンネル信号とを保持可能であるため、仮に、６つのＦＭラジオに音声信号を夫々送信するためには、３種類の周波数が必要である。また、送信器１０６によって、本発明に係る「送信手段」の一具体例が構成されている。また、制御部１０１、増幅器１０５、及びリモコンＲｅによって、本発明に係る「調整手段」の一具体例が構成されている。
【００５７】
更に、図３に示されるように、ＦＭラジオ１００Ｒは、（ｉｉ−１）例えばトランスミッター等の送信器１０６から送信された音声信号ＳＲａを受信するための受信器１０７、及びアンテナ１０７Ａ、（ｉｉ−２）受信された音声信号ＳＲａをＤ／Ａ変換するＤ／Ａ変換器１０８、（ｉｉ−３）例えばアンプ（amplifier）等の、音声信号ＳＲａを増幅する増幅器１０９、（ｉｉ−４）ＦＭラジオにおいてステレオ再生するためのスピーカ２００ＬＷ、及び（ｉｉ−５）スピーカ２００ＲＷを備えて構成されている。
【００５８】
（１−２）  動作原理
次に、図４に加えて、前述した図１から図３を適宜参照して、本発明の音声再生装置１００の動作原理について説明する。ここに、図４は、本発明の音声再生装置の動作原理を示したフローチャートである。
【００５９】
図４に示されるように、先ず、本発明の音声再生装置１００において、制御部１０１の制御下で、ＦＭラジオ１００Ｒのスピーカを含む全てのチャンネルの音量調整を行うか否かが判定される（ステップＳ１０１）。
【００６０】
ここで、例えば聴取者によるリモコンＲｅを介した遠隔操作によって、全てのチャンネルの音量調整を行うと判定された場合（ステップＳ１０１：Ｙｅｓ）、制御部１０１の制御下で、テスト信号生成器１１０によって生成されたテスト信号が、スイッチ１１０ｓが閉じられることによって、信号処理部１０３における、テストの対象となるチャンネル（例えばＦＭラジオ１００Ｒのスピーカ２００ＬＷ用のチャンネル）に供給される（ステップＳ１０２）。
【００６１】
次に、制御部１０１の制御下で、テスト用信号が供給された、テストの対象となる、例えばＦＭラジオ１００Ｒのスピーカ２００ＬＷにおいて、テスト用信号が、例えば所定の時間間隔だけ再生される（ステップＳ１０３）。
【００６２】
次に、聴取者の聴感に基づいて、例えばＦＭラジオ１００Ｒのスピーカ２００ＬＷの音量が、聴取者による手動で調整される（ステップＳ１０４）。
【００６３】
次に、制御部１０１の制御下で、テストの対象となる、全てのスピーカにおいて、音量調整が行われたか否かが判定される（ステップＳ１０５）。ここで、全てのスピーカにおいては、音量調整が行われていない場合（ステップＳ１０５：Ｎｏ）、テストの対象を、他のチャンネルへ変更する（ステップＳ１０６）。そして、テスト用信号が、新しくテストの対象となったチャンネル（例えばＦＭラジオ１００Ｒのスピーカ２００ＲＷ用のチャンネル）に供給される（ステップＳ１０２）。
【００６４】
他方、前述したステップＳ１０５の判定の結果、全てのスピーカにおいて、音量調整が行われた場合（ステップＳ１０５：Ｙｅｓ）、或いは、前述したステップＳ１０１の判定の結果、チャンネルの音量調整を行わないと判定された場合（ステップＳ１０１：Ｎｏ）、一連の音量調整の処理が終了される。
【００６５】
（１−３）  本発明の音声再生装置に係る作用と効果の検討
次に、図５を参照して、本発明の音声再生装置に係る作用と効果について検討を加える。ここに、図５は、比較例に係る音声再生装置の全体構成を示したレイアウト図である。
【００６６】
図５に示されるように、比較例に係る音声再生装置１００ｘは、本発明の音声再生装置の第１実施例に係るＦＭラジオに代えて、無線規格に準拠した、例えばワイヤレスリアスピーカ等のスピーカを備えて構成されている。
【００６７】
比較例に係る音声再生装置１００ｘにおいては、無線ＬＡＮの規格に準拠した無線通信技術に基づいているので、音声再生装置の製造コストは、一般的に高くなってしまう。また、仮に、多チャンネルの音声信号の再生を低コストで実現するために、ＦＭ波等を利用した無線通信技術に基づいた音声再生装置を採用しても、次のような技術的な問題点が生じてしまう。即ち、例えばこのＦＭ波等を利用した無線通信技術を含む多チャンネルの音声信号の再生においては、（ｉ）例えばセンタースピーカ等の有線で接続されたスピーカの音量特性（ボリュームカーブ）と、（ｉｉ）ＦＭ波を受信可能なスピーカの音量特性とを一致させることが技術的に困難である。このため、例えばＦＭ波等を利用した無線通信技術を含む多チャンネルの音声信号の再生において、音圧レベルの調整、所謂、ボリュームコントロール（音量調整）を、的確且つ高精度に実現することが困難である。
【００６８】
これに対して、本実施例によれば、上述したように、制御部１０１の制御下で、例えば聴取者によって音量調整、所謂、音圧レベルの調整（ボリュームコントロール）が行われる。従って、例えばＦＭ波等を利用した無線通信技術を含む多チャンネルの音声信号の再生において、（ｉ）例えばセンタースピーカ等の有線で接続されたスピーカの音量特性（ボリュームカーブ）と、（ｉｉ）ＦＭ波を受信可能なスピーカの音量特性とを殆ど又は完全に一致させることが可能となる。ここに、本発明に係る「音量特性」とは、スピーカの出力性能に関する物理的な特性であり、例えば周波数をパラメータとした、出力可能な音圧レベルの推移を示した特性であるようにしてもよい。
【００６９】
この結果、例えばＦＭ波等を利用した無線通信技術を含む多チャンネルの音声信号の再生において、音量調整を、簡便且つ高精度に実現することが可能となる。具体的には、例えばステレオ再生を行うＤＶＤミニコンポ等のサラウンド音声方式に対応していないスピーカを備える音声再生装置においても、例えば聴取者が所有するＦＭラジオ等のＦＭ波を受信可能なスピーカを利用するだけで、例えばステレオ再生等にダウンミックスすることなく、多チャンネルの音声信号の再生における音量調整を、簡便且つ高精度に実現することが可能となる。
【００７０】
（２）  音声再生装置の第２実施例
次に、本発明の音声再生装置に係る第２実施例について説明する。
【００７１】
（２−１）  基本構成と動作原理
先ず、図６から図８を参照して、本発明の音声再生装置１００−２に係る第２実施例の基本構成と動作原理について説明する。尚、第２実施例に係る動作原理においては、テストの対象となる、例えばＦＭラジオのスピーカが３つのチャンネルに増加するだけであるので、説明を省略する。ここに、図６は、本発明の音声再生装置に係る第２実施例の全体構成を示したレイアウト図である。図７は、本発明の音声再生装置に係る第２実施例の一の部分構成として、本体の基本構成を示したブロック図である。図８は、本発明の音声再生装置に係る第２実施例における、複数の搬送波と、複数のＦＭラジオとの対応関係を示したテーブルである。
【００７２】
尚、第２実施例に係る、受信器を備えるＦＭラジオの構成は、第１実施例と概ね同様であるので、説明を適宜省略する。また、図６及び図７において、前述した第１実施例に係る構成要素と同様の構成要素には、同様の符号番号を付し、それらの説明は適宜省略する。
【００７３】
図６及び図７に示されるように、本発明の音声再生装置に係る第２実施例においては、複数の周波数に夫々対応される、複数種類のＦＭ波によって、複数のチャンネルの音声信号を、複数のＦＭラジオに送信可能であるようにしてもよい。具体的には、第２実施例に係る送信器１０６−２は、信号処理された、３チャンネルの音声信号ＳＲａ１（ＳＲａ２、ＳＲａ３）を、３種類の周波数のＦＭ波等の搬送波を介して３つのＦＭラジオ１００Ｒ１（１００Ｒ２、１００Ｒ３）に送信可能であるようにしてもよい。より具体的には、図８に示されるように、送信器１０６−２は、信号処理された音声信号ＳＲａ１を、例えば「Ｆ１（Ｈｚ）」に対応される搬送波を介して、ＦＭラジオ１００Ｒ１に送信するようにしてもよいし、信号処理された音声信号ＳＲａ２を、例えば「Ｆ２（Ｈｚ）」に対応される搬送波を介して、ＦＭラジオ１００Ｒ２に送信するようにしてもよいし、信号処理された音声信号ＳＲａ３を、例えば「Ｆ３（Ｈｚ）」に対応される搬送波を介して、ＦＭラジオ１００Ｒ３に送信するようにしてもよい。
【００７４】
この結果、本発明の音声再生装置に係る第２実施例によれば、聴取者が所有する複数のＦＭラジオ等も使用して、例えば複数の周波数に対応されるＦＭ波等を利用した無線通信技術を含む多チャンネルの音声信号の再生において、音圧レベルの調整、所謂、ボリュームコントロール（音量調整）を、簡便且つ高精度に実現することが可能となる。具体的には、任意の周波数に対応される任意のＦＭ波を、聴取者によって、選択させることが可能となるので、無線通信における混信を、効果的に防止することが可能となる。
【００７５】
（３）  音声再生装置の第３実施例
次に、本発明の音声再生装置に係る第３実施例について説明する。
【００７６】
（３−１）  基本構成
先ず、図９を参照して、本発明の音声再生装置１００−３に係る第３実施例の基本構成について説明する。ここに、図９は、本発明の音声再生装置に係る第３実施例の基本構成を示したブロック図である。尚、図９において、前述した第１実施例に係る構成要素と同様の構成要素には、同様の符号番号を付し、それらの説明は適宜省略する。
【００７７】
図９に示されるように、本発明の音声再生装置に係る第３実施例は、前述した第１実施例に係る構成要素に加えて、各種スピーカによって再生された音声を集音するマイクロフォン１１１（即ち、本発明に係る「取得手段」の一例）、集音された音声の音圧レベルを増幅させ、増幅された音声信号を出力する増幅器１１２、及び出力された音声信号をＡ／Ｄ変換（Analog to Digital Conversion）するＡ／Ｄ変換器１１３を更に備えて構成されている。
【００７８】
（３−２）  動作原理
次に、図１０を参照して、本発明に係る音声再生装置１００−３の第３実施例の動作原理について説明する。ここに、図１０は、本発明に係る音声再生装置の第３実施例の動作原理を示したフローチャートである。尚、図１０において、前述した第１実施例に係る処理と同様の処理には、同様のステップ番号を付し、それらの説明は適宜、省略する。
【００７９】
図１０に示されるように、前述したステップＳ１０３において、制御部１０１の制御下で、テスト用信号が供給された、テストの対象となる、例えばＦＭラジオ１００Ｒのスピーカ２００ＬＷにおいて、テスト用信号が、例えば所定の時間間隔だけ再生される。
【００８０】
次に、再生されたテスト用信号が、制御部１０１の制御下で、例えばマイクロフォン１１１によって、集音される（ステップＳ３０１）。
【００８１】
次に、制御部１０１の制御下で、集音されたテスト用信号に基づいて、例えばＦＭラジオ１００Ｒのスピーカ２００ＬＷに対応される音量特性（ボリュームカーブ）が取得される（ステップＳ３０２）。
【００８２】
次に、前述したステップＳ１０５の判定の結果、全てのスピーカにおいて、音量特性の取得が行われた場合（ステップＳ１０５：Ｙｅｓ）、制御部１０１の制御下で、全てのスピーカ、全てのチャンネルに対応した、最適出力レベルが決定される（ステップＳ３０３）。
【００８３】
以上のように、本発明の音声再生装置に係る第３実施例によれば、マイクロフォン等の取得手段によって、テスト用信号が、音響空間における残響等の影響を含んで集音される。この結果、例えばＦＭ波等を利用した無線通信技術を含む多チャンネルの音声信号の再生において、音圧レベルの調整、所謂、ボリュームコントロール（音量調整）を、例えば音響空間における残響等の影響も考慮して、簡便且つ高精度に実現することが可能となる。
【００８４】
（４）  音声再生装置の第４実施例
次に、本発明の音声再生装置に係る第４実施例について説明する。
【００８５】
（４−１）  基本構成
先ず、図１１を参照して、本発明の音声再生装置１００−４に係る第４実施例の基本構成について説明する。ここに、図１１は、本発明の音声再生装置に係る第４実施例の全体構成を示したレイアウト図である。尚、図１１において、前述した第１から第３実施例に係る構成要素と同様の構成要素には、同様の符号番号を付し、それらの説明は適宜省略する。
【００８６】
図１１に示されるように、本発明の音声再生装置に係る第４実施例は、前述した第１実施例に係る構成要素に加えて、例えばＦＭラジオ１００Ｒのイヤホン端子と、本体１００−４とを接続するイヤホンコード４０、及び当該イヤホンコードを介して出力される音声の音圧レベルを測定する測定器４１を更に備えて構成されている。
【００８７】
（４−２）  動作原理
次に、図１２を参照して、本発明に係る音声再生装置１００−４の第４実施例の動作原理について説明する。ここに、図１２は、本発明に係る音声再生装置の第４実施例の動作原理を示したフローチャートである。尚、図１２において、前述した第１から第３実施例に係る処理と同様の処理には、同様のステップ番号を付し、それらの説明は適宜、省略する。
【００８８】
図１２に示されるように、前述したステップＳ１０３において、制御部１０１の制御下で、テスト用信号が供給された、テストの対象となる、例えばＦＭラジオ１００Ｒのイヤホン端子において、テスト用信号が、例えば所定の時間間隔だけ再生される。
【００８９】
次に、制御部１０１の制御下で、測定器４１によって、当該イヤホンコードを介して出力されたテスト用信号の音圧レベルが測定される（ステップＳ４０１）。
【００９０】
以上のように、本発明の音声再生装置に係る第４実施例によれば、例えばイヤホンコードを介して測定器４１によって、テスト用信号の音圧レベルが、直接的に測定される。この結果、例えばＦＭ波等を利用した無線通信技術を含む多チャンネルの音声信号の再生において、音圧レベルの調整、所謂、ボリュームコントロール（音量調整）を、例えば音響空間における残響等の影響を抑制しつつ、簡便且つ高精度に実現することが可能となる。
【００９１】
上述した実施例では、音声再生装置の一具体例として、例えば、例えばＦＭ波等を利用した無線通信技術を含む多チャンネルの音声信号を再生する音声再生装置について説明したが、本発明は、例えば次に示されるようなスピーカを備える音声再生装置にも適用可能である。（ｉ）例えば、パソコン用スピーカ、車載用スピーカ、若しくは、アミューズメント機器（アーケードゲーム、又はパチンコ等）用のスピーカ。（ｉｉ）主要部とスピーカが一体となっている小型のラジオ、ラジカセ、又はミニコンポに搭載されるスピーカ。
【００９２】
更に、上述した実施例に係る音声再生装置による処理の対象となる音声信号は、アナログ信号であってもデジタル信号であってもよい。また、本実施例に係る音声再生装置による信号処理は、音声信号に限らず、動画信号、静止画信号、通信信号、何らかの低周波信号、及び高周波信号等を含む信号等の各種信号に適用可能である。
【００９３】
また、他の実施例として、送信器１０６又は１０６−２に、図示しない周波数設定部から指定された値の周波数を、音声信号を送信するための周波数として設定するようにしても良い。ここで指定される周波数は、図示しないメモリ等の記憶手段に保持された周波数であり、且つテレビ放送やラジオ放送などと干渉しない周波数とすることで、音声信号の送信がラジオ等の周波数と干渉することを防ぐことができる。
【００９４】
更に、また、他の実施例として、送信機１０６又は１０６−２を、音声再生装置１００又は１００−２とは別の装置として構成しても良い。この場合、音声再生装置のイヤホンジャックなど、音声信号を出力可能なインタフェースを介して送信機と接続することにより、音声信号を送信機に送り、送信機から所定の周波数にて、当該音声信号を出力することとなるようにしてもよい。
【００９５】
本発明は、上述した実施例に限られるものではなく、請求の範囲及び明細書全体から読み取れる発明の要旨或いは思想に反しない範囲で適宜変更可能であり、そのような変更を伴う音声再生装置、並びに、音声再生システムもまた本発明の技術的範囲に含まれるものである。
【図面の簡単な説明】
【００９６】
【図１】本発明の音声再生装置の全体構成を示したレイアウト図である。
【図２】本発明の音声再生装置の一の部分構成として、本体の基本構成を示したブロック図である。
【図３】本発明の音声再生装置の他の部分構成として、ＦＭラジオを示したブロック図である。
【図４】本発明の音声再生装置の動作原理を示したフローチャートである。
【図５】比較例に係る音声再生装置の全体構成を示したレイアウト図である。
【図６】本発明の音声再生装置に係る第２実施例の全体構成を示したレイアウト図である。
【図７】本発明の音声再生装置に係る第２実施例の一の部分構成として、本体の基本構成を示したブロック図である。
【図８】本発明の音声再生装置に係る第２実施例における、複数の搬送波と、複数のＦＭラジオとの対応関係を示したテーブルである。
【図９】本発明の音声再生装置に係る第３実施例の基本構成を示したブロック図である。
【図１０】本発明に係る音声再生装置の第３実施例の動作原理を示したフローチャートである。
【図１１】本発明の音声再生装置に係る第４実施例の全体構成を示したレイアウト図である。
【図１２】本発明に係る音声再生装置の第４実施例の動作原理を示したフローチャートである。
【符号の説明】
【００９７】
４０    イヤホンコード
４１    測定器
１００  音声再生装置
１００Ｍ  本体
１００Ｒ  ＦＭラジオ
１０１  制御部
１０２  入力部
１０３  信号処理部
１０４  Ｄ／Ａ変換器
１０５  増幅器
１０６  送信器
１０６Ａ  アンテナ
１１０  テスト用信号生成器
１１０ｓ  スイッチ
１１１  マイクロフォン
１０７  受信器
１０７Ａ  アンテナ
１０８  Ｄ／Ａ変換器
１０９  増幅器
２００ＬＷ  スピーカ
２００ＲＷ  スピーカ
２００Ｃ  センタースピーカ
２００Ｌ  レフトスピーカ
２００Ｒ  ライトスピーカ
Ｒｅ  リモコン
ＳＣ（ＳＬ、ＳＲ）  音声信号
ＳＲａ  音声信号
【図１】
2007129337.tif 000003
【図２】
2007129337.tif 000004
【図３】
2007129337.tif 000005
【図４】
2007129337.tif 000006
【図５】
2007129337.tif 000007
【図６】
2007129337.tif 000008
【図７】
2007129337.tif 000009
【図８】
2007129337.tif 000010
【図９】
2007129337.tif 000011
【図１０】
2007129337.tif 000012
【図１１】
2007129337.tif 000013
【図１２】
2007129337.tif 000014